(57)【要約】【課題】アナログ波の放送信号に基づくニュース速報を、ユーザにより確実に認識させるとともに、より簡単に表示可能なテレビ受像機を提供する。【解決手段】アナログ波のテレビ放送電波を受信して、これにより取得される音声信号及び映像信号に基づく音声出力及び映像表示を行うテレビ１００において、ニュース速報受信時に取得される基準音声信号を記録するＥＥＰＲＯＭ４０と、この基準音声信号とテレビ放送電波より取得される音声信号とが一致するか否かを判断し、続けて２回一致したと判断した場合に、予め設定された期間、ＣＲＴモニタ２に表示される映像を垂直方向に縮小するとともに、この上部を垂直方向に拡大する手段（マイコン１０、クロマＩＣ３０など）を備える。【選択図】図１
2006319839.tif 000002
【特許請求の範囲】
【請求項１】
アナログ波のテレビ放送電波を受信する受信部と、当該受信部が受信した前記テレビ放送電波より取得される音声信号に基づいて音声を出力してなる音声出力部と、前記テレビ放送電波より取得される映像信号に基づいて映像を表示してなる映像表示部と、を備えるテレビ受像機において、
前記テレビ放送電波を送信してなるテレビ放送局と対応付けて、当該テレビ放送局から送信されるニュース速報受信時に取得される音声信号を基準音声信号として記憶する基準音声信号記憶部と、
前記テレビ放送電波を送信してなるテレビ放送局と対応付けて、当該テレビ放送局より１回目のニュース速報が送信されてから、２回目のニュース速報が送信されるまでの時間を基準間隔時間として記憶する基準間隔時間記憶部と、
前記映像表示部に表示されている映像に係るテレビ放送電波を送信したテレビ放送局に対応する基準音声信号を前記基準音声信号記憶部から取得して、前記テレビ放送電波より取得される音声信号に、当該基準音声信号と一致する第１の入力音声信号が含まれるか否かを判断する第１の判断手段と、
前記第１の判断手段によって、前記基準音声信号と一致する第１の入力音声信号が含まれると判断された場合に、続いて、前記映像表示部に表示されている映像を送信したテレビ放送局に対応する基準音声信号を前記基準音声信号記憶部から取得して、前記テレビ放送電波より取得される音声信号に、当該基準音声信号と一致する第２の入力音声信号が含まれるか否かを判断する第２の判断手段と、
前記第１の判断手段によって、前記基準音声信号と一致する第１の入力音声信号が含まれると判断された場合に、当該第１の入力音声信号が取得されてから、前記第２の判断手段によって、前記基準音声信号と一致すると判断される第２の入力音声信号が入力されるまでの経過時間を計時する計時手段と、
前記第２の判断手段によって、前記基準音声信号と一致する前記第２の入力音声信号が含まれると判断された場合に、前記映像表示部に表示されている映像に係るテレビ放送電波を送信したテレビ放送局と対応付けられた基準間隔時間を前記基準間隔時間記憶部から取得して、当該基準間隔時間と、前記計時手段によって計時された経過時間とが一致するか否かを判断する間隔判断手段と、
前記間隔判断手段によって、前記基準間隔手段と、前記経過時間が一致すると判断された場合に、前記テレビ放送電波より取得される映像信号に基づいて、予め設定された期間、前記映像表示部に表示される映像を垂直方向に縮小するとともに、当該映像の上部を垂直方向に拡大する表示制御手段と、
を備えることを特徴とするテレビ受像機。
【請求項２】
アナログ波のテレビ放送電波を受信する受信部と、当該受信部が受信した前記テレビ放送電波より取得される音声信号に基づいて音声を出力してなる音声出力部と、前記テレビ放送電波より取得される映像信号に基づいて映像を表示してなる映像表示部と、を備えるテレビ受像機において、
ニュース速報受信時に取得される音声信号を、基準音声信号として記憶する基準音声信号記憶部と、
前記テレビ放送電波より取得される音声信号に、前記基準音声信号記憶部に記憶された基準音声信号と一致する第１の入力音声信号が含まれるか否かを判断する第１の判断手段と、
前記第１の判断手段によって、前記基準音声信号と一致する第１の入力音声信号が含まれると判断された場合に、続いて、前記テレビ放送電波より取得される音声信号に、前記基準音声信号記憶部に記憶される基準音声信号と一致する第２の入力音声信号が含まれるか否かを判断する第２の判断手段と、
前記第２の判断手段によって、前記基準音声信号と一致する第２の入力音声信号が含ま
れると判断された場合に、前記テレビ放送電波より取得される映像信号に基づいて、予め設定された期間、前記映像表示部に表示される映像を垂直方向に縮小するとともに、当該映像の上部を垂直方向に拡大する表示制御手段と、
を備えることを特徴とするテレビ受像機。
【請求項３】
請求項２に記載のテレビ受像機において、
１回目のニュース速報が送信されてから、２回目のニュース速報が送信されるまでの時間を基準間隔時間として記憶する基準間隔時間記憶部と、
前記第１の判断手段によって、前記基準音声信号と一致する第１の入力音声信号が含まれると判断された場合に、当該第１の入力音声信号が取得されてから、前記第２の判断手段によって、前記基準音声信号と一致すると判断される第２の入力音声信号が取得されるまでの経過時間を計時する計時手段と、
前記計時手段によって計時された計時時間と、前記基準間隔時間記憶部に記憶された基準間隔時間が一致するか否かを判断する間隔判断手段と、を備え、
前記表示制御手段は、
前記間隔判断手段によって、前記計時時間と前記基準間隔時間が一致すると判断された場合に、前記映像表示部に表示される映像の垂直方向の縮小及び当該映像の上部の垂直方向の拡大を実行することを特徴とするテレビ受像機。
【請求項４】
請求項３に記載のテレビ受像機において、
前記基準音声信号記憶部は、前記テレビ放送電波を送信してなるテレビ放送局と、当該テレビ放送局の前記基準音声信号とを対応付けて記憶し、
前記第１の判断手段は、
前記映像表示部に表示されている映像に係るテレビ放送電波を送信したテレビ放送局に対応する基準音声信号を前記基準音声信号記憶部から取得して、前記テレビ放送電波より取得される音声信号に、当該基準音声信号と一致する第１の入力音声信号が含まれるか否かを判断し、
前記第２の判断手段は、
前記映像表示部に表示されている映像に係るテレビ放送電波を送信したテレビ放送局に対応する基準音声信号を前記基準音声信号記憶部から取得して、前記テレビ放送電波より取得される音声信号に、当該基準音声信号と一致する第２の入力音声信号が含まれるか否かを判断することを特徴とするテレビ受像機。
【発明の詳細な説明】
【技術分野】
【０００１】
本発明は、テレビ受像機に関する。
【背景技術】
【０００２】
従来、テレビ放送局より送信されるテレビ放送電波を受信する受信部と、当該テレビ放送電波より取得される映像データに基づく映像を表示するモニタ等を備えたテレビ受像機において、受信したテレビ放送電波に基づいてモニタに表示される映像中に、文字情報を表示することが行われている。
【０００３】
モニタに表示される映像中に表示される文字情報としては、例えば、「ニュース速報」が挙げられる。「ニュース速報」の文字情報は、視聴者の注意を喚起するためのアラーム音が出力された後に、モニタ上で、映像に重畳される形で表示される。
【０００４】
「ニュース速報」は、緊急性を有するため、できるだけ迅速且つ確実に、視聴者に認識させる必要があり、視聴者に認識させるためには、「ニュース速報」の文字情報を目立たせて表示することが効果的である。具体的には、例えば、文字情報を大きく表示することが効果的である。そこで、テレビ放送電波における文字情報を識別して、文字情報だけを拡大して表示する装置やシステムが広く知られている。
【０００５】
具体的には、例えば、デジタルＴＶ放送において、複数の情報データが重畳された情報データより、共通の識別データを有する文字情報データを抽出し、抽出された文字情報データに係る文字情報を表示してなる受信装置（例えば、特許文献１参照）や、受信した番組情報と付加情報を分離して、分離した付加情報に基づいて、緊急情報があるか否かを検出する情報受信装置（例えば、特許文献２参照）等が知られている。
【０００６】
このように、デジタルＴＶ放送におけるデータ処理においては、送信されたデータ（情報）から、文字情報に係るデータを抽出し、又は分離することができるため、例えば、テレビ番組の画像データから、「ニュース速報」に係る画像データを抽出或いは分離し、この画像データに拡大処理を施した上で、再びテレビ番組の画像データに重畳することにより、表示することができる。
【０００７】
またその他にも、テレビ放送電波と、文字情報信号とを別々に受信し、受信されたテレビ放送電波に基づいて表示される画像を縮小して余白を形成し、当該余白に、受信した文字情報信号に基づいた表示を行うテレビ文字表示システム（例えば、特許文献３参照）や、異なる取得部で取得された画像信号と表示信号に基づいて、モニタに表示される画像の中央より下側の部分を縮めて形成された余白に、表示信号より取得される文字記号図形表示を重畳してなる画像信号処理装置（例えば、特許文献４参照）や、入力された映像情報中の画像から、映像処理情報に従って所定領域を切り出し、切り出した画像を拡大若しくは縮小変換して、変換された画像を映像情報に重畳することにより表示する映像変換装置（例えば、特許文献５参照）等が知られている。
【特許文献１】特開２００１−４５４４４号公報
【特許文献２】特開２００４−３１２５０７号公報
【特許文献３】特開２００２−２３２８００号公報
【特許文献４】特開２００４−２２１７５１号公報
【特許文献５】特開２００３−２５９２１５号公報
【発明の開示】
【発明が解決しようとする課題】
【０００８】
しかしながら、文字データを含むアナログ波のテレビ放送電波においては、例えば、「
ニュース速報」等の文字データが送信される場合、テレビ番組の映像データに「ニュース速報」等の文字情報に係る文字データが重畳されて一体となって送信されるものであるため、受信した放送信号を画像データと文字データとに容易に分離することができないという問題があった。
【０００９】
またこのときに、重畳された文字データを分離するためには、その他の情報（例えば画像処理情報）に基づいて画像に処理を施す必要があり、文字データを特定するのが困難であるという問題があった。
【００１０】
そこで、本発明の課題は、アナログ波のテレビ放送電波を受信して表示するテレビ受像機において、ユーザにより確実に認識させることができるニュース速報を、より簡単に表示することである。
【課題を解決するための手段】
【００１１】
以上の課題を解決すべく、請求項１に記載の発明は、アナログ波のテレビ放送電波を受信する受信部と、当該受信部が受信した前記テレビ放送電波より取得される音声信号に基づいて音声を出力してなる音声出力部と、前記テレビ放送電波より取得される映像信号に基づいて映像を表示してなる映像表示部と、を備えるテレビ受像機において、前記テレビ放送電波を送信してなるテレビ放送局と対応付けて、当該テレビ放送局から送信されるニュース速報受信時に取得される音声信号を基準音声信号として記憶する基準音声信号記憶部と、前記テレビ放送電波を送信してなるテレビ放送局と対応付けて、当該テレビ放送局より１回目のニュース速報が送信されてから、２回目のニュース速報が送信されるまでの時間を基準間隔時間として記憶する基準間隔時間記憶部と、前記映像表示部に表示されている映像に係るテレビ放送電波を送信したテレビ放送局に対応する基準音声信号を前記基準音声信号記憶部から取得して、前記テレビ放送電波より取得される音声信号に、当該基準音声信号と一致する第１の入力音声信号が含まれるか否かを判断する第１の判断手段と、前記第１の判断手段によって、前記基準音声信号と一致する第１の入力音声信号が含まれると判断された場合に、続いて、前記映像表示部に表示されている映像を送信したテレビ放送局に対応する基準音声信号を前記基準音声信号記憶部から取得して、前記テレビ放送電波より取得される音声信号に、当該基準音声信号と一致する第２の入力音声信号が含まれるか否かを判断する第２の判断手段と、前記第１の判断手段によって、前記基準音声信号と一致する第１の入力音声信号が含まれると判断された場合に、当該第１の入力音声信号が取得されてから、前記第２の判断手段によって、前記基準音声信号と一致すると判断される第２の入力音声信号が入力されるまでの経過時間を計時する計時手段と、前記第２の判断手段によって、前記基準音声信号と一致する前記第２の入力音声信号が含まれると判断された場合に、前記映像表示部に表示されている映像に係るテレビ放送電波を送信したテレビ放送局と対応付けられた基準間隔時間を前記基準間隔時間記憶部から取得して、当該基準間隔時間と、前記計時手段によって計時された経過時間とが一致するか否かを判断する間隔判断手段と、前記間隔判断手段によって、前記基準間隔手段と、前記経過時間が一致すると判断された場合に、前記テレビ放送電波より取得される映像信号に基づいて、予め設定された期間、前記映像表示部に表示される映像を垂直方向に縮小するとともに、当該映像の上部を垂直方向に拡大する表示制御手段と、を備えることを特徴とする。
【００１２】
請求項２に記載の発明は、アナログ波のテレビ放送電波を受信する受信部と、当該受信部が受信した前記テレビ放送電波より取得される音声信号に基づいて音声を出力してなる音声出力部と、前記テレビ放送電波より取得される映像信号に基づいて映像を表示してなる映像表示部と、を備えるテレビ受像機において、ニュース速報受信時に取得される音声信号を、基準音声信号として記憶する基準音声信号記憶部と、前記テレビ放送電波より取得される音声信号に、前記基準音声信号記憶部に記憶された基準音声信号と一致する第１の入力音声信号が含まれるか否かを判断する第１の判断手段と、前記第１の判断手段によって、前記基準音声信号と一致する第１の入力音声信号が含まれると判断された場合に、
続いて、前記テレビ放送電波より取得される音声信号に、前記基準音声信号記憶部に記憶される基準音声信号と一致する第２の入力音声信号が含まれるか否かを判断する第２の判断手段と、前記第２の判断手段によって、前記基準音声信号と一致する第２の入力音声信号が含まれると判断された場合に、前記テレビ放送電波より取得される映像信号に基づいて、予め設定された期間、前記映像表示部に表示される映像を垂直方向に縮小するとともに、当該映像の上部を垂直方向に拡大する表示制御手段と、を備えることを特徴とする。
【００１３】
請求項３に記載の発明は、請求項２に記載のテレビ受像機において、１回目のニュース速報が送信されてから、２回目のニュース速報が送信されるまでの時間を基準間隔時間として記憶する基準間隔時間記憶部と、前記第１の判断手段によって、前記基準音声信号と一致する第１の入力音声信号が含まれると判断された場合に、当該第１の入力音声信号が取得されてから、前記第２の判断手段によって、前記基準音声信号と一致すると判断される第２の入力音声信号が取得されるまでの経過時間を計時する計時手段と、前記計時手段によって計時された計時時間と、前記基準間隔時間記憶部に記憶された基準間隔時間が一致するか否かを判断する間隔判断手段と、を備え、前記表示制御手段は、前記間隔判断手段によって、前記計時時間と前記基準間隔時間が一致すると判断された場合に、前記映像表示部に表示される映像の垂直方向の縮小及び当該映像の上部の垂直方向の拡大を実行することを特徴とする。
【００１４】
請求項４に記載の発明は、請求項３に記載のテレビ受像機において、前記基準音声信号記憶部は、前記テレビ放送電波を送信してなるテレビ放送局と、当該テレビ放送局の前記基準音声信号とを対応付けて記憶し、前記第１の判断手段は、前記映像表示部に表示されている映像に係るテレビ放送電波を送信したテレビ放送局に対応する基準音声信号を前記基準音声信号記憶部から取得して、前記テレビ放送電波より取得される音声信号に、当該基準音声信号と一致する第１の入力音声信号が含まれるか否かを判断し、前記第２の判断手段は、前記映像表示部に表示されている映像に係るテレビ放送電波を送信したテレビ放送局に対応する基準音声信号を前記基準音声信号記憶部から取得して、前記テレビ放送電波より取得される音声信号に、当該基準音声信号と一致する第２の入力音声信号が含まれるか否かを判断することを特徴とする。
【発明の効果】
【００１５】
請求項１に記載の発明によると、アナログ波のテレビ放送電波を受信してなるテレビ受像機において、基準音声信号記憶部に記憶された基準音声信号と同一の音声信号が２回入力されて、１回目のニュース速報が入力されてから２回目のニュース速報が入力されるまでの時間が基準間隔時間記憶部に記憶された基準間隔時間と一致する場合には、映像表示部に表示される映像が縮小された上で、映像の上部のみが拡大されて表示されることとなる。これにより、受信したアナログ波のテレビ放送電波に基づくニュース速報の文字情報を、ユーザにより確実に認識させることができるとともに、ニュース速報をテレビ放送の映像と分離することなく拡大して表示することができるので、拡大されたニュース速報をより簡単に映像表示部に表示することができる。
【００１６】
また、映像表示部に表示される映像の上部が垂直方向に拡大されていると同時に、該映像が垂直方向に縮小されていることによって、映像表示部に画像が収まることとなって、画像を欠くことなく表示することができる。
【００１７】
そして、入力される音声信号を比較するだけでなく、第１の入力音声信号が入力されてから第２の入力音声信号が入力されるまでの時間が、基準間隔時間記憶部に記憶された基準間隔時間と一致する場合にのみ、表示制御手段による制御が実行されるため、入力される音声信号のみならず、当該音声信号が入力されるタイミングによっても、映像処理の有無に係る判断が行われることとなり、より確実にニュース速報の文字情報を拡大して映像表示部に表示することができる。
【００１８】
さらに、各テレビ放送局に特有の音声信号及び基準間隔時間を用いて、画像の縮小及び
拡大の処理の判断を行うため、各テレビ放送局特有の音声及びタイミングに対応することができ、さらに確実な処理を実行することができる。
【００１９】
請求項２に記載の発明によると、アナログ波のテレビ放送電波を受信してなるテレビ受像機において、基準音声信号記憶部に記憶された基準音声信号と同一の音声信号が２回入力されることによって、映像表示部に表示される映像の上部が拡大されて表示されることとなる。これにより、受信したアナログ波のテレビ放送電波に基づくニュース速報の文字情報を、ユーザにより確実に認識させることができるとともに、ニュース速報をテレビ放送の映像と分離することなく拡大して表示することができるので、拡大されたニュース速報をより簡単に映像表示部に表示することができる。
【００２０】
また、映像表示部に表示される映像の上部が垂直方向に拡大されていると同時に、該映像が垂直方向に縮小されていることによって、映像表示部に画像が収まることとなって、画像を欠くことなく表示することができる。
【００２１】
請求項３に記載の発明によると、請求項２に記載の発明の効果が得られるのは無論のこと、特に、基準音声信号と、入力される音声信号を比較するだけでなく、第１の入力音声信号が入力されてから、第２の入力音声信号が入力されるまでの時間が、基準間隔時間記憶部に記憶された基準間隔時間と一致する場合にのみ、表示制御手段による制御が実行されることとなる。即ち、入力される音声信号のみならず、当該音声信号が入力されるタイミングによっても、表示制御手段による制御が必要が否かが判断されるため、より確実に、２回目に表示されるニュース速報の映像を拡大して表示することができる。
【００２２】
請求項４に記載の発明によると、請求項２又は３に記載の発明の効果が得られるのは無論のこと、特に、各テレビ放送局に特有の基準音声信号に基づいて、画像制御手段による制御が必要か否かが判断されることとなる。これにより、テレビ放送電波を送信してなるテレビ放送局が多数存在する場合であっても、各テレビ放送局に対応した基準音声信号に基づいて判断をすることができ、より確実にニュース速報の映像を拡大して表示することができる。
【発明を実施するための最良の形態】
【００２３】
次に、本発明の最良の実施形態を、図面を参照しながら詳細に説明する。ただし、発明の範囲は図示例に限られない。
【００２４】
以下に、本発明のテレビ受像機について、複数のテレビ放送局から送信されるアナログ波のテレビ放送電波を受信するテレビ受像機（以下、テレビという。）１００を使って説明する。
【００２５】
テレビ１００にテレビ放送電波を送信してなる複数のテレビ放送局は、各々割り当てられた、異なる周波数のアナログ波を送信する。本実施形態においては、例えば、テレビ放送局Ａ、Ｂ、Ｃの３局よりテレビ放送電波が送信され、送信されたアナログ波はテレビ１００によって受信されるものとする。
【００２６】
図１に示すように、テレビ１００は、テレビ放送局Ａ、Ｂ、Ｃから送信されるアナログ波のテレビ放送電波を受信し、受信したテレビ放送電波からテレビ番組の音声信号と映像信号を処理する信号処理装置１と、信号処理装置１より出力された映像信号に基づいて映像を表示してなる映像表示部としてのＣＲＴモニタ２と、信号処理装置１より出力された音声信号に基づいて音声を出力する音声出力部としてのスピーカ３と、等を備えて構成される。
【００２７】
図１に示すように、信号処理装置１は、マイコン１０を備え、このマイコン１０には、チューナ２０と、クロマＩＣ３０と、ＥＥＰＲＯＭ（Electrically Erasable Programmable Read Only Memory）４０と、操作部５０と、図示しないリモコンとに接続されている
。そして、チューナ２０には、アンテナ２１と、クロマＩＣ３０とが接続されている。クロマＩＣ３０には、カソードアンプ６１、オーディオアンプ６２と、偏向回路６３とが接続されている。ＣＲＴモニタ２は、偏向コイル６４が取り付けられるとともにカソードアンプ６１とフライバックトランス（ＦＢＴ）６５とに接続され、画面を表示することが可能になっている。また、スピーカ３は、オーディオアンプ６２に接続され、音声を出力することが可能になっている。そして、マイコン１０がテレビ１００全体を制御することにより、テレビジョンとしての機能を実現している。
【００２８】
アンテナ２１は、受信部として、テレビ送信局Ａ、Ｂ、Ｃから送信される、音声信号や映像信号等を含んで構成されるテレビ放送電波を受信する。
【００２９】
チューナ２０は、いわゆる周波数シンセサイザ方式のチューナであり、内部に図示しない高周波増幅回路、局部発振回路、混合回路等を備えている。むろん、チューナを周波数シンセサイザ方式とするのは一例に過ぎず、例えば、電圧シンセサイザ方式としてもよい。高周波増幅回路は、バンドパスフィルタを有しており、マイコン１０の制御に基づいて、アンテナ２１からこのバンドパスフィルタを介して所望周波数に対応するテレビ放送電波を受信し、増幅して高周波信号を生成する。この高周波信号の周波数は、操作部５０により選局した放送の放送電波と同じ周波数である。高周波増幅回路は、生成した高周波信号を混合回路に出力する。
【００３０】
局部発振回路は、テレビ放送電波の所望周波数に対応する局部発振周波数の局部発振信号を生成して混合回路に出力する。混合回路は、高周波増幅回路からの出力と局部発振回路からの局部発振信号とを混合して中間周波信号（ＩＦ）に変換し、クロマＩＣ３０に出力する。なお、高周波増幅回路、局部発振回路、混合回路は、従来から採用されている種々のテレビジョン用の回路を適用することができる。
【００３１】
クロマＩＣ３０は、内部に図示しない中間周波増幅（ＶＩＦ）回路と、水晶発振回路と、ＶＣＯ（Voltage  Controled  Oscillator）回路と、ＶＣＯ回路とＶＩＦ回路に接続された検波回路と、検波回路に接続された同期回路と、検波回路に接続された映像信号増幅回路とを備えている。なお、ＶＩＦ回路、ＶＣＯ回路、検波回路、同期回路、映像信号増幅回路は、従来から採用されている種々のテレビジョン用の回路を適用することができる。
【００３２】
ＶＩＦ回路は、チューナ２０から出力された中間周波信号を中間周波増幅し、検波回路に出力する。ＶＣＯ回路は、水晶発振回路から入力される基準発振信号に基づいて発振信号を発振するとともに、入力される電圧に応じて発振信号の発振周波数を変更することが可能である。ここで、マイコン１０は受信するテレビ放送電波の種類に応じて対応する発振周波数となるように、ＶＣＯ回路に入力される電圧を制御している。検波回路は、発振信号の発振周波数に基づいて、ＶＩＦ回路にて中間周波増幅された中間周波信号を検波して映像信号と音声信号とを出力する。より具体的にいうと、検波回路は、中間周波増幅された中間周波信号から発振信号の発振周波数に同期しながら映像検波を行い、所定の色復調処理を施して映像信号を分離し外部に出力する。
【００３３】
映像信号増幅回路は、検波回路で得られた映像信号のうちの輝度信号をＣＲＴモニタ２を作動させるために必要な大きさまで増幅する。この映像信号増幅回路は映像信号を増幅して、カソードアンプ６１に映像信号を加えると同時に、同期分離や帯域増幅などにも分配している。
【００３４】
音声信号については、中間周波増幅された中間周波信号のうち音声成分と発振信号とを混合して第二音声中間周波信号を生成し、ＦＭ検波を行って音声信号とし、マイコン１０及びオーディオアンプ６２に出力する。さらに、検波回路は、検波の過程で発振信号の発
振周波数に基づいて水平・垂直同期信号（ＳＹＮＣ）も生成して同期回路に出力する。同期回路は、入力される水平・垂直同期信号に基づいてのこぎり波状の水平・垂直ドライブ信号を生成し、水平偏向回路と垂直偏向回路とからなる偏向回路６３に出力する。
【００３５】
映像信号増幅回路から出力された映像信号はカソードアンプ６１に出力され、このカソードアンプ６１にて増幅されてＣＲＴモニタ２に供給される。すると、ＣＲＴモニタ２は、増幅された映像信号に基づいて画面表示を行う。一方、音声信号についてはオーディオアンプ６２に出力され、このオーディオアンプ６２で増幅されてスピーカ３に供給されるとともに、マイコン１０に出力される。そして、スピーカ３は、増幅された音声信号に基づいて音声を出力する。具体的には、例えば、テレビ番組の音声信号に基づいて、音声を出力したり、ニュース速報の音声信号に基づいて、アラーム音を出力する。
【００３６】
偏向回路６３は、水平・垂直ドライブ信号に対応した所定のビーム電流を生成し、受像管（図示省略）に取り付けられた偏向コイル６４に供給する。偏向コイル６４はこのビーム電流に基づく電子ビームをＣＲＴモニタ２の水平・垂直方向にドライブさせる。また、偏向回路６３で生じる高周波信号は、ＦＢＴ６５に供給され、ＣＲＴモニタ２に供給する高電圧が発生するようになっている。その結果、ＣＲＴモニタ２では映像信号に応じた電子ビームがドライブされながら放出され、ＣＲＴモニタ２の管面に画像が現れることになる。
【００３７】
ＥＥＰＲＯＭ４０は不揮発性の半導体メモリにより構成されており、システムプログラム、当該システムに対応する各種処理プログラム及び各種処理プログラムで処理されたデータ等が記憶されている。具体的には、ＥＥＰＲＯＭ４０は、基準音声信号記憶部及び基準間隔時間記憶部として、基準音声信号４１と、基準間隔時間４２等を記憶している。
【００３８】
基準音声信号４１は、ニュース速報の受信時に取得される音声信号であって、より具体的には、ニュース速報時に出力されるアラーム音に相当する音声信号である。
【００３９】
基準間隔時間４２は、１回目のニュース速報が受信されてから、２回目のニュース速報が受信されるまでの間隔に係る時間である。
【００４０】
ここで、ニュース速報について説明する。ニュース速報とは、ＣＲＴモニタ２に表示される通常のテレビ番組の映像上に重畳されて表示される映像である。また、この映像は一般的にＣＲＴモニタ２に表示される映像の上部に重畳される。
【００４１】
ニュース速報の映像は、視聴者に早急に通知する必要があり、また早急に認知させる必要のある、緊急性及び重要性の高い文字情報を含んで構成される。
【００４２】
従って、ニュース速報の映像をＣＲＴモニタ２に表示する場合には、視聴者の注意を充分に惹きつけるために、ニュース速報の映像を表示する前や、映像の表示と略同時にスピーカ３より所定のアラーム音が出力される。当該アラーム音は、視聴者の注意を惹きつけるというニュース速報の性格上、通常のテレビ番組の音声から際立って聞こえるように、特に高い周波数によって構成される。また、アラーム音は各テレビ放送局において各々特有の周波数からなる音声信号で構成されており、ニュース速報を送信する場合、通常の番組のテレビ放送に係る音声信号に固有のアラーム音の音声信号が重畳された上で送信される。
【００４３】
即ち、ニュース速報の映像信号及び音声信号が重畳されたテレビ放送電波からは、通常のテレビ番組の音声信号とは異なる、ニュース速報特有の音声信号が検出されることとなる。
【００４４】
また、ニュース速報は、所定の間隔を開けて２回繰り返し表示される。同一のテレビ放送局から送信されるニュース速報は同一のアラーム音に係る音声信号を有するため、１回
目に表示されるニュース速報のテレビ放送電波より取得される第１の入力音声信号と、２回目に表示されるニュース速報のテレビ放送電波より取得される第２の入力音声信号は、同一の音声信号である。
【００４５】
そして、１回目のニュース速報が表示されてから、２回目のニュース速報が表示されるまでに要する所定の間隔は、各テレビ放送局が各々異なった時間を所定の間隔として設定している。つまり、各テレビ放送局は、ニュース速報に係る固有の音声信号及び間隔時間を有する。
【００４６】
従って、基準音声信号４１及び基準間隔時間４２は、テレビ放送電波を送信してなる各テレビ放送局に対応付けられてＥＥＰＲＯＭ４０に記憶される。
【００４７】
具体的には、例えば、図２に示すように、テレビ放送局Ａと対応付けられて、テレビ放送局Ａに固有の基準音声信号４１Ａと基準間隔時間４２Ａが記憶され、テレビ放送局Ｂと対応付けられて、テレビ放送局Ｂに固有の基準音声信号４１Ｂと基準間隔時間４２Ｂが記憶され、テレビ放送局Ｃと対応付けられて、テレビ放送局Ｃに固有の基準音声信号４１Ｃと基準間隔時間４２Ｃが記憶されている。
【００４８】
基準音声信号４１Ａ、４１Ｂ、４１Ｃとしては、例えば、各テレビ放送局によって異なる周波数のテレビ放送電波の音声信号の振幅を用いることができる。
【００４９】
マイコンは、ＣＰＵ（Central  Processing  Unit）１１と、ＲＡＭ（Random  Access
Memory）１２と、Ａ／Ｄポート１３、ＲＯＭ１４と、計時手段としてのタイマ回路１５、Ｉ／Ｏポート１６などを備えている。Ｉ／Ｏポート１６は、チューナ２０と、クロマＩＣ３０と、操作部５０と、リモコン（図示省略）と接続される。
【００５０】
ＣＰＵ１１は、所定のタイミング或いは操作部５０等を介して入力された指示に応じて、ＲＯＭ１４に格納された各種システムプログラムに従って、テレビ１００を構成する各部への指示やデータの転送等を行うことによりテレビ１００の動作全般を統括制御する。
【００５１】
ＲＡＭ１２は、ＣＰＵ１１のワークエリアとして用いられ、ＲＯＭ１４から読み出された各種プログラムやこれらプログラムに係るデータ等をメモリエリアに一時的に記憶する。
【００５２】
Ａ／Ｄポート１３は、クロマＩＣ３０から出力された音声信号をＡ／Ｄ変換して、ＣＰＵ１１に出力する。
【００５３】
ＲＯＭ１４は、ＣＰＵ１１によって実行される各種データ処理プログラムの他、データ処理プログラムに係る各種初期設定値等を格納する。具体的には、ＲＯＭ１４は、第１の判断プログラム１４１と、第２の判断プログラム１４２と、計時プログラム１４３と、間隔判断プログラム１４４と、表示制御プログラム１４５等を格納する。
【００５４】
第１の判断プログラム１４１は、各テレビ放送局Ａ、Ｂ、Ｃより送信されたテレビ放送電波より取得される音声信号に、ＥＥＰＲＯＭ４０に記憶された基準音声信号４１と一致する第１の入力音声信号が含まれるか否かを判断するためのプログラムであって、ＣＰＵ１１は、当該第１の判断プログラム１４１を実行することにより、第１の判断手段として機能する。
【００５５】
具体的には、例えば、ＣＰＵ１１は、チューナ２０及びクロマＩＣ３０を制御して、操作部５０を介して選択されたチャンネルに該当するテレビ放送局のテレビ放送電波に基づく映像及び音声をＣＲＴモニタ２及びスピーカ３に出力させる。そして、選択されたテレビ放送局に対応付けられて記憶された基準音声信号４１をＥＥＰＲＯＭ４０より取得し、受信したテレビ放送電波から取得した音声信号に、当該基準音声信号４１と一致する信号
が含まれるか否かを判断する。基準音声信号４１と一致する音声信号を確認すると、当該音声信号を第１の入力音声信号として認識する。
【００５６】
第２の判断プログラム１４２は、第１の判断手段によって、基準音声信号４１と一致する第１の入力音声信号が含まれると判断された場合に、各テレビ放送局Ａ、Ｂ、Ｃより送信されたテレビ放送電波より取得される音声信号に、ＥＥＰＲＯＭ４０に記憶された基準音声信号４１と一致する第２の入力音声信号が含まれるか否かを判断するためのプログラムであって、ＣＰＵ１１は、当該第２の判断プログラム１４２を実行することにより、第２の判断手段として機能する。
【００５７】
具体的には、例えば、ＣＰＵ１１は、ＲＡＭ１２より基準音声信号４１を取得し、受信したテレビ放送電波から取得した音声信号に、当該基準音声信号４１と一致する信号が含まれるか否かを判断する。そして、基準音声信号４１と一致する信号が確認された場合に、当該音声信号を第２の入力音声信号として認識する。
【００５８】
計時プログラム１４３は、第１の判断手段によって、基準音声信号４１と第１の入力音声信号が一致すると判断された場合に、第１の入力音声信号が取得されてから、第２の判断手段によって、基準音声信号４１と一致すると判断される第２の入力音声信号が取得されるまでの計時時間を計時するためのプログラムであって、ＣＰＵ１１は、当該計時プログラム１４３を実行することによって、タイマ回路１５に所定の指示を出力し、タイマ回路１５とともに計時手段として機能する。
【００５９】
具体的には、例えば、ＣＰＵ１１は、第１の入力音声信号を認識した場合に、タイマ回路１５に、当該第１の入力音声信号が含まれるテレビ放送電波を受信してからの経過時間を計時する旨の指示を出力し、その後、第２の入力音声信号が含まれるテレビ放送電波を受信した旨を出力することによって、タイマ回路１５より、第１の入力音声信号を受信してから、第２の入力音声信号を受信するまでの計時時間を取得する。
【００６０】
間隔判断プログラム１４４は、計時手段によって計時された計時時間と、ＥＥＰＲＯＭ４０に記憶された基準間隔時間４２が一致するか否かを判断するためのプログラムであって、ＣＰＵ１１は、当該間隔判断プログラム１４４を実行することにより、間隔判断手段として機能する。
【００６１】
具体的には、例えば、ＣＰＵ１１は、計時手段によって取得された計時時間と、ＥＥＰＲＯＭ４０に記憶された基準間隔時間４２を比較し、各時間が一致するか否かを判断する。
【００６２】
表示制御プログラム１４５は、第２の判断手段によって、第２の入力音声信号と基準音声信号４１が一致すると判断された場合であって、且つ、間隔判断手段によって、取得された計時時間と、基準間隔時間４２が一致すると判断された場合に、テレビ放送電波より取得される映像信号に基づいて、予め設定された期間、ＣＲＴモニタ２に表示される映像を垂直方向に縮小するとともに、当該映像の上部を垂直方向に拡大するためのプログラムであって、ＣＰＵ１１は表示制御プログラム１４５を実行することにより、表示制御手段として機能する。
【００６３】
テレビ放送電波より取得される映像信号は、例えば、インターレス方式で表示される映像の、隣り合う走査線の間隔を調整することによって垂直方向に縮小又は拡大することができる。具体的には、例えば、ＣＲＴモニタ２に表示される映像を形成してなる走査線の間隔を、送信された映像信号に基づく映像の間隔よりも縮めた上で、さらに映像信号の上部に位置する映像を形成してなる走査線の間隔を広げることによって映像の上部のみを拡大することができる。
【００６４】
より具体的には、ＣＰＵ１１が、クロマＩＣ３０よりＣＲＴモニタ２に出力される同期信号のタイミングを調整することによって、走査線の間隔を調整し、映像を垂直方向に縮
小し又は拡大することができる。ここで、縮小率及び拡大率は、適宜好適な範囲を設定することができるが、例えば、映像全体を約５％縮めることによって、拡大することのできる映像の上部範囲を５％以上とすることができる。拡大する範囲は、少なくとも、ニュース速報が表示される領域が含まれる範囲であればよい。また、拡大率は、ＣＲＴモニタ２に画像全体が収まる範囲内とすることが望ましい。
【００６５】
また、ニュース速報が拡大されて表示される映像が表示される予め設定された期間とは、例えば、視聴者がニュース速報に気付くのに充分な時間であれば足り、ニュース速報が重畳された映像が表示される間継続して縮小及び拡大処理が施された映像が表示されることとしても構わない。本実施形態においては、例えば、継続して１０秒間、縮小及び拡大処理が施された映像が表示されることとした。
【００６６】
タイマ回路１５は、ＣＰＵ１１より出力される指示に従って、第１の入力音声信号が取得されてから、第２の入力音声信号が取得されるまでの経過時間を計時し、計時結果を所定のタイミングで随時ＣＰＵ１１に出力する。
【００６７】
より具体的には、第１の判断手段によって基準音声信号と第１の入力音声信号が一致すると判断された場合に、この第１の入力音声信号を含むテレビ放送電波が取得されてから、第２の判断手段によって、基準音声信号と一致すると判断される第２の入力音声信号を含むテレビ放送電波が取得されるまでの経過時間を計時する。
【００６８】
次に、テレビ１００によるニュース速報表示処理について図３のフローチャートを用いて説明する。このとき、テレビ１００は、ＣＲＴモニタ２に、テレビ放送局Ａより送信されたテレビ放送電波に係る映像を表示するものとする。
【００６９】
まず、テレビアンテナ２１を介して信号処理装置１に入力されたテレビ放送電波から、テレビ放送局Ａより送信されたテレビ放送電波を選択し、選択したテレビ放送電波から取得した音声信号を、クロマＩＣ３０から取得する（ステップＳ１）。
【００７０】
次に、ＣＰＵ１１は、ＲＯＭ１４より第１の判断プログラム１４１を読み出してＲＡＭ１２の所定の作業領域に展開して実行することにより、ＥＥＰＲＯＭ４０より、基準音声信号４１Ａを取得し、クロマＩＣ３０から取得した音声信号に、基準音声信号４１Ａと一致する音声信号が含まれるか否かを判断する（ステップＳ２）
ＣＰＵ１１が、基準音声信号４１Ａと一致する第１の入力音声信号が含まれると判断すると（ステップＳ２；Ｙｅｓ）、ＣＰＵ１１は、ＲＯＭ１４より計時プログラム１４３を読み出してＲＡＭ１２の所定の作業領域に展開して実行することにより、タイマ回路１５に、計時開始の指示を出力し（ステップＳ３）、次ステップに移行する。
【００７１】
ＣＰＵ１１が、基準音声信号４１Ａと一致する音声信号が含まれないと判断すると（ステップＳ２；Ｎｏ）、ＣＰＵ１１は、音声信号を取得して、基準音声信号４１Ａと一致する音声信号が含まれるか否かを繰り返し判断する。
【００７２】
ステップＳ４において、ＣＰＵ１１は、クロマＩＣ３０より音声信号を取得し（ステップＳ４）、ＲＯＭ１４より第２の判断プログラム１４２を読み出してＲＡＭ１２の所定の作業領域に展開して実行することにより、ＥＥＰＲＯＭ４０より、基準音声信号４１Ａを取得し、取得した音声信号に、基準音声信号４１Ａと一致する音声信号が含まれるか否かを判断する（ステップＳ５）。
【００７３】
ＣＰＵ１１が、基準音声信号４１Ａと一致する第２の入力音声信号が含まれると判断すると（ステップＳ５；Ｙｅｓ）、ＣＰＵ１１は、タイマ回路１５に、当該第２の入力音声
信号を含むテレビ放送電波を受信した旨を出力し、タイマ回路１５より、第１の入力音声信号が受信されてから、第２の入力音声信号が受信されるまでの経過時間を取得して（ステップＳ７）、次ステップに移行する。
【００７４】
ＣＰＵ１１が、基準音声信号４１Ａと一致する音声信号が含まれないと判断すると（ステップＳ５；Ｎｏ）、ＣＰＵ１１は、所定のプログラムを実行することにより、タイマ回路１５より経過時間を取得し、ＥＥＰＲＯＭ４０より基準間隔時間４２Ａを取得して、経過時間と基準間隔時間４２Ａを比較することによって、第１の入力音声信号が受信されてから基準間隔時間４２Ａが経過したか否かを判断する（ステップＳ６）。
【００７５】
ＣＰＵ１１が、基準経過時間４２Ａを経過したと判断すると（ステップＳ６；Ｙｅｓ）、ＣＰＵ１１は、ステップＳ１に戻って、再び音声信号を取得し、基準音声信号４１Ａと一致する第１の入力音声信号が含まれるか否かを判断する。
【００７６】
ＣＰＵ１１が、基準経過時間４２Ａを経過していないと判断すると（ステップＳ６；Ｎｏ）、ＣＰＵ１１は、ステップＳ４に戻って、再び音声信号を取得し、基準音声信号４１Ａと一致する第２の入力音声信号が含まれるか否かを判断する。
【００７７】
ステップＳ８において、ＣＰＵ１１は、ＲＯＭ１４より間隔判断プログラム１４４を読み出してＲＡＭ１２の所定の作業領域に展開して実行することにより、ＥＥＰＲＯＭ４０より基準間隔時間４２Ａを読み出し、当該基準間隔時間４２Ａと、タイマ回路１５より取得した経過時間が一致するか否かを判断する（ステップＳ８）。
【００７８】
ＣＰＵ１１が、基準間隔時間４２Ａと経過時間が一致すると判断すると（ステップＳ８；Ｙｅｓ）、ＣＰＵ１１は、ＲＯＭ１４より表示制御プログラム１４５を読み出してＲＡＭ１２の所定の作業領域に展開して実行することにより、クロマＩＣ３０を制御して、映像全体を縮小した上で映像の上部のみを、映像全体がＣＲＴモニタ２の表示領域に収まるように拡大してＣＲＴモニタ２に映像を表示する（ステップＳ９）。縮小及び拡大処理が施された映像は、約１０秒間継続してＣＲＴモニタ２に表示される。１０秒が経過すると、ＣＰＵ１１は、当該縮小及び拡大処理を終了する。
【００７９】
ＣＰＵ１１が、基準間隔時間４２Ａと経過時間が一致しないと判断すると（ステップＳ８；Ｎｏ）、ＣＰＵ１１は、画像縮小及び拡大処理を施すことなく本処理を終了する。
【００８０】
以上に説明した、アナログ波のテレビ放送電波を受信してなるテレビ１００によると、ＥＥＰＲＯＭ４０に記憶された基準音声信号４１と同一の音声信号が２回入力されて、１回目のニュース速報が入力されてから２回目のニュース速報が入力されるまでの時間がＥＥＰＲＯＭ４０に記憶された基準間隔時間と一致する場合には、ＣＲＴモニタ２に表示される映像が縮小された上で、映像の上部のみが拡大されて表示されることとなる。これにより、受信したアナログ波のテレビ放送電波に基づくニュース速報の文字情報を、ユーザに、より確実に認識させることができるとともに、ニュース速報の文字情報とテレビ放送の映像と分離することなく拡大して表示することができるので、拡大されたニュース速報をより簡単にＣＲＴモニタ２に表示することができる。
【００８１】
また、ＣＲＴモニタ２に表示される映像の上部が垂直方向に拡大されていると同時に、該映像が垂直方向に縮小されていることによって、ＣＲＴモニタ２に画像全体が収まることとなって、画像を欠くことなく表示することができる。
【００８２】
そして、入力される音声信号を比較するだけでなく、第１の入力音声信号が入力されてから第２の入力音声信号が入力されるまでの時間が、ＥＥＰＲＯＭ４０に記憶された基準間隔時間と一致する場合にのみ、ＣＰＵ１１による制御が実行されるため、入力される音声信号のみならず、当該音声信号が入力されるタイミングによっても、映像処理の有無に
係る判断が行われることとなり、より確実にニュース速報の文字情報を拡大してＣＲＴモニタ２に表示することができる。
【００８３】
さらに、各テレビ放送局に特有の基準音声信号４１及び基準間隔時間４２を用いて、画像の縮小及び拡大の処理の判断を行うため、各テレビ放送局特有の音声及びタイミングに対応することができ、さらに確実な処理を実行することができる。
【００８４】
尚、映像の縮小及び拡大処理の順番は任意であり、予め所定の領域に拡大処理を施した上で、縮小処理を施すこととしても構わず、結果として、上部の映像が拡大され、それ以外の部分の映像が縮小されていればよい。
【００８５】
上記に説明した、第１の判断プログラム１４１や、第２の判断プログラム１４２、計時プログラム１４３、間隔判断プログラム１４４及び表示制御プログラム１４５等の実行は、信号処理装置１に内蔵されたＣＰＵ１１が、ＲＯＭ１４内に格納された各種制御プログラムを呼び出し、ＲＡＭ１２内に設けられる作業領域に展開して実行し、制御することによって行われることとしたが、これらの各処理の実行にあたっては、ＣＰＵ１１、ＲＡＭ１２、ＲＯＭ１４を用いた構成に限られることはなく、例えば、各処理を行うための専用回路等を用いた構成であってもよい。
【図面の簡単な説明】
【００８６】
【図１】本発明を好適に適用したテレビ１００の概略構成図である。
【図２】テレビ放送局毎に記録される基準音声信号及び基準間隔時間を示した図である。
【図３】テレビ１００による画像縮小及び拡大処理を説明するためのフローチャートである。
【符号の説明】
【００８７】
１  信号処理装置
１１  ＣＰＵ（第１の判断手段、第２の判断手段、計時手段、間隔判断手段、表示制御手段）
１２  ＲＡＭ
１５  タイマ回路（計時手段）
３０  クロマＩＣ
４０  ＥＥＰＲＯＭ（基準音声信号記憶部、基準間隔時間記憶部）
４１（４１Ａ、４１Ｂ、４１Ｃ）  基準音声信号データ
４２（４２Ａ、４２Ｂ、４２Ｃ）  基準間隔時間データ
１４  ＲＯＭ
１４１  第１の判断プログラム
１４２  第２の判断プログラム
１４３  計時プログラム
１４４  間隔判断プログラム
１４５  表示制御プログラム
２１  アンテナ（受信部）
２  ＣＲＴモニタ（映像表示部）
３  スピーカ（音声出力部）
１００  テレビ受像機
Ａ、Ｂ、Ｃ  テレビ放送局
【図１】
2006319839.tif 000003
【図２】
2006319839.tif 000004
【図３】
2006319839.tif 000005